(57)【特許請求の範囲】
【請求項１】
賞球タンクより供給されるパチンコ球の補給経路が複数設けられると共に、夫々の補給経路の下端に夫々球払出経路が設けられ、各補給経路と球払出経路との間に前記補給経路より供給されるパチンコ球を夫々の補給経路の下端に設けられる球払出経路に流出させる球誘導回転体が可逆転式に回転自在な単一の駆動手段の回転軸に取り付けられて回転自在に配設され、一方の球誘導回転体と前記回転軸の間には前記単一の駆動手段による一方向へのみの駆動力を伝達する第１の回転伝達規制手段が介在され、他方の球誘導回転体と前記回転軸の間には前記単一の駆動手段による一方向とは反対の方向へのみ駆動力を伝達する第２の回転伝達規制手段を介して連繋されていることを特徴とするパチンコ遊技機。
【請求項２】
前記第１の回転伝達規制手段が、前記単一の駆動手段による一方向への回転駆動力を伝達し、該駆動手段の反対方向への回転時には空回りするラチェット機構であり、前記第２の回転伝達規制手段が前記単一の駆動手段による前記一方向とは反対方向の回転駆動力を伝達し、前記一方向への回転時には空回りするラチェット機構であることを特徴とする請求項１に記載のパチンコ遊技機。
【請求項３】
前記球払出経路が賞品球払出経路と貸し球払出経路とからなり、賞品球払出信号に基づいて前記賞品球払出経路上の球誘導回転体が回転されて該賞品球払出経路よりパチンコ球が払出されるように前記単一の駆動手段を一方向に回転駆動させ、貸し球払出信号に基づいて前記貸し玉払出経路上の球誘導回転体が回転されて該貸し球払出経路よりパチンコ球が払出されるように該駆動手段を反対方向に回転駆動させる回転駆動制御手段を備えることを特徴とする請求項１又は２に記載のパチンコ遊技機。
【発明の詳細な説明】
【０００１】
【発明の属する技術分野】
本発明は、パチンコ遊技機に関し、さらに詳しくは、賞球タンクからの遊技球を回転体によって誘導してパチンコ球払出経路に払出しする球払出装置を備えるパチンコ遊技機に関するものである。
【０００２】
【従来の技術】
従来、一般に知られているように、パチンコ遊技機は、遊技盤面に設けられる各種入賞口に遊技球が入賞すると、その入賞信号を受けて遊技機内に設けられる賞品球払出装置によりその各入賞口に応じた所定個数の賞品球が遊戯者に払出されるようになっている。
【０００３】
また、本発明はプリペードカード式パチンコ遊技機に限られるわけではないが、近年プリペードカード使用によるパチンコ遊技機も知られており、このカード式のパチンコ遊技機の場合には、各遊技機に備え付けられるプリペードカードによる玉貸機（以下、「プリペードカードユニット」と称する）にプリペードカードを挿入し、金額設定ボタンの操作により貸し出し金額を決めて球貸出しボタンを押すと、その貸し出し金額に応じた所定個数の貸し球が遊戯者に払出されるようになっている。かかるプリペードカード式パチンコ遊技機の場合に、賞品球と貸し球とを個別に計数して管理するために、賞品球払出と貸し球払出とを区別して払出を行なうものが知られている。
【０００４】
図１４は、従来の球払出装置の外観図を示しており、（ａ）は正面図、（ｂ）は側面図を示している。該球払出装置は、賞球タンクから補給経路１５０ａを経由して供給される各遊技球を２つの球払出経路１４３ａ、１４４ａのどちらかに誘導して払出し、賞球タンクから補給経路１５０ｂを経由して供給される各遊技球を２つの球払出経路１４３ｂ、１４４ｂのどちらかに誘導して払出すものである。
【０００５】
図１４に示すように前記補給経路１５０ａ、１５０ｂの夫々の下部開口端の下方に球誘導回転体１４１ａ、１４１ｂが設けられる。この球誘導回転体１４１ａ、１４１ｂは可逆転的に回転自在に設けられ、その中央部に設けられるモータ軸取付孔にステッピングモータ１６０の回転軸１６２が嵌合するように挿着される。
【０００６】
ステッピングモータ１６０は、その回転を制御する図示しない払出制御部の回転命令に従い正転あるいは逆転方向に回転し、このステッピングモータ１６０の駆動により前記球誘導回転体１４１ａ、１４１ｂは正転あるいは逆転方向に回転駆動される。球誘導回転体１４１ａの周縁には前記補給経路１５０ａより供給される遊技球を受止する球受孔１４２ａイ〜１４２ａハが開設されており、球誘導回転体１４１ｂの周縁には前記補給経路１５０ｂより供給される遊技球を受止する球受孔１４２ｂイ〜１４２ｂハが開設されている。
【０００７】
そして、例えば、球払出経路１４３ａ及び１４３ｂに遊技球を払出す場合には、図示しない払出制御部は、ステッピングモータ１６０が正面から見て時計回り方向（矢示Ａ方向）に回転するように命令信号を発し、遊技球１５５は、回転軸１６２に連動する球誘導回転体１４１ａ又は１４１ｂにより時計回り方向に誘導され落下して払出される。また、例えば、球払出経路１４４ａ及び１４４ｂに遊技球を払出す場合には、払出制御部は、ステッピングモータ１６０が正面から見て反時計回り方向（矢示Ｂ方向）に回転するように命令信号を発し、遊技球１５５は、回転軸１６２に連動する球誘導回転体１４１ａ又は１４１ｂにより反時計回り方向に誘導され落下して払出される。
【０００８】
【発明が解決しようとする課題】
しかし、このように構成された球払出装置によれば、ステッピングモータの回転軸１６２が、球誘導回転体１４１ａ及び１４１ｂのモータ回転軸取付孔に嵌合された状態で挿着され、ステッピングモータ回転軸１６２と球誘導回転体１４１ａ及び１４１ｂとは常に連動して回転をする。即ち、モータ回転軸１６２が時計回り方向に回転すれば球誘導回転体１４１ａ及び１４１ｂも時計回り方向に回転し、モータ回転軸１６２が反時計回り方向に回転すれば球誘導回転体１４１ａ及び１４１ｂも反時計回り方向に回転する。
【０００９】
従って、単一の駆動モータに対し複数の球誘導回転体を設け、例えば、ある場合に一方の球誘導回転体のみを回転させ他の場合に他の球誘導回転体のみを回転させるようにすることができなかった。つまり、単一の駆動モータで複数の球誘導回転体を選択的に回転させるようにすることができなかった。
【００１０】
本発明の解決しようとする課題は、例えば、単一の駆動手段で複数の球誘導回転体を選択的に駆動することができるようにして駆動手段の回転と球誘導回転体の回転との連携関係に多様性をもたせることである。
【００１１】
【課題を解決するための手段】
この課題を解決するために本発明の請求項１に記載のパチンコ遊技機は、賞球タンクより供給されるパチンコ球の補給経路が複数設けられると共に、夫々の補給経路の下端に夫々球払出経路が設けられ、各補給経路と球払出経路との間に前記補給経路より供給されるパチンコ球を夫々の補給経路の下端に設けられる球払出経路に流出させる球誘導回転体が可逆転式に回転自在な単一の駆動手段の回転軸に取り付けられて回転自在に配設され、一方の球誘導回転体と前記回転軸の間には前記単一の駆動手段による一方向へのみの駆動力を伝達する第１の回転伝達規制手段が介在され、他方の球誘導回転体と前記回転軸の間には前記単一の駆動手段による一方向とは反対の方向へのみ駆動力を伝達する第２の回転伝達規制手段を介して連繋されていることを要旨とするものである。
【００１２】
上記構成を有する請求項１に記載のパチンコ遊技機によれば、前記単一の駆動手段が一方向に回転するときには、一方の球誘導回転体が回転駆動されてパチンコ球が払出経路に払出され、前記単一の駆動手段がその反対の方向へ回転するときには、他方の球誘導回転体が回転駆動されてパチンコ球が他の払出経路に払出され、パチンコ球が振分けられ払出されるようになる。つまりは、駆動手段の回転方向により駆動される球誘導回転体が変わり、１つの駆動手段で複数の球誘導回転体を選択的に回転させてパチンコ球を振り分けることになる。
【００１３】
このような前記第１及び第２の回転伝達規制手段には、請求項２に記載のように、前記第１の回転伝達規制手段が、前記単一の駆動手段による一方向への回転駆動力を伝達し、該駆動手段の反対方向への回転時には空回りするラチェット機構であり、前記第２の回転伝達規制手段が前記単一の駆動手段による前記一方向とは反対方向の回転駆動力を伝達し、前記一方向への回転時には空回りするラチェット機構を用いることができる。
【００１４】
また、請求項３に記載のパチンコ遊技機からもわかるように、更に、前記球払出経路が賞品球払出経路と貸し球払出経路とからなり、賞品球払出信号に基づいて前記賞品球払出経路上の球誘導回転体が回転されて該賞品球払出経路よりパチンコ球が払出されるように前記単一の駆動手段を一方向に回転駆動させ、貸し球払出信号に基づいて前記貸し玉払出経路上の球誘導回転体が回転されて該貸し球払出経路よりパチンコ球が払出されるように該駆動手段を反対方向に回転駆動させる回転駆動制御手段を備えるように構成しても良い。
【００１５】
このように構成すれば、賞品球払出信号が発生すると駆動手段が一方向に回転し、それにより一方の球誘導回転体が前記一方向に回転駆動されてパチンコ球が賞品球払出経路へ払出され、貸し球払出信号が発生すると駆動手段が反対方向に回転し、それによりより他方の球誘導回転体が前記反対方向に回転駆動されてパチンコ球が賞品球払出経路へ払出されることになる。つまりは、単一の駆動手段がその回転方向によって複数の球誘導回転体を選択的に駆動し、賞品球と貸し球の振分け払出を行なうことになる。
【００１６】
【発明の実施の形態】
以下、本発明の好適な実施の形態を図面を参照して詳しく説明する。
図１は、本実施例のパチンコ遊技機の正面図、図２はその外観斜視図を示したものである。パチンコ遊技機１０は、パチンコ機本体側部を構成する外枠１１と、パチンコ機前面部のベースとなる内枠１２とを備え、その内枠１２の額縁状に形成された開口内周縁には金枠１３が嵌められると共に、その金枠１３には遊技盤１４の前面を覆うガラス扉１５が開閉可能に設けられる。
【００１７】
そしてガラス扉１５の下方位置には、球発射装置に供給される遊技球を貯留するための受け皿（上受け皿）１６が取り付けられ、更にその下方には、賞品球の排出時に上受け皿１６から溢れた遊技球を貯留するための球受け皿（下受け皿）１７が設けられている。尚、上受け皿１６に設けられる球抜けボタン１８の操作により上受け皿１６内の遊技球が下受け皿１７に向けて抜き落とされる。
【００１８】
下受け皿１７の図中右側位置には、遊技球を遊技盤１４面に向けて弾発発射する発射レバー２０が設けられ、この発射レバー２０には遊技球を一球毎に発射する為の単発スイッチ２１が備えられる。発射レバー２０の回動操作する量に応じて遊技球を遊技盤１４面に向けて弾発発射する程度が調整されると共に、所定回動位置の検出により発射電源が投入されるようになっている。
【００１９】
前記内枠１２の上辺縁から図中右側辺縁には、合成樹脂製のレンズ体で構成される枠トップ飾り２３が設けられ、この枠トップ飾り２３の内部には、枠飾りランプ２４，２４…や前記ガラス扉１５開閉用の鍵穴２５の周囲を飾る鍵飾りランプ２６が設けられている。
【００２０】
パチンコ遊技機１０の一側には、プリペイドカードによる玉貸機（以下、「プリペイドカードユニット」と称する）３０が設置される。このプリペイドカードユニット３０は、１台の遊技機に１台づつ設置される。このプリペイドカードユニット３０の設置に対応してパチンコ遊技機１０の前記上受け皿１６には、プリペイドカードによる遊技球の貸出し操作を行う為の球貸し操作部３１が設けられ、この球貸し操作部３１には、プリペイドカードによる球貸出しを操作する球貸出しボタン３２、その球貸出しの可能状態を示す球貸出しボタンランプ３３、プリペイドカードを排出させるカード返却ボタン３４、プリペイドカードの残高表示、及びエラー表示を行う度数表示部３５等が備えられている。
【００２１】
プリペイドカードの使用に際しては、プリペイドカードユニット３０に備えられるカード利用可表示ランプ３６の点灯中にカード挿入口３７にプリペイドカードを挿入し、金額設定ボタン３８を操作することにより、貸出し金額（１００円、２００円、３００円、５００円等）を選択することができる。前記上受け皿１６に備えられる球貸し操作部３１の球貸出しボタン３２を操作することにより、予め選択された金額の遊技球が貸出されることになる。
【００２２】
前記内枠１２の前面に設けられる遊技盤１４は、遊技板に装着された金属製の内レール４１、打球槌により球発射位置より弾発発射された遊技球を盤面に向けて誘導する為の外レール４２、打球位置及び発射レールより転動し遊技盤面に至った遊技球の跳ね返り作用のより再び打球が発射レールや打球位置に戻ることを防止するファール止４３、打球位置より転動してきた過大な飛送力を有する遊技球を遊技板右上部において衝撃を吸収しつつ停止阻止し遊技板面下に向けて落下させる返しゴム４４等によりその周囲が構成され、その内側に遊技領域が形成される。
【００２３】
図３は、その遊技盤面を拡大して示したものである。遊技盤１４の遊技領域の中央やや上方には特別図柄表示装置５０が設けられ、その中央部に３つの特別図柄表示部（図中左から順に左図柄表示部５０Ａ、中図柄表示部５０Ｂ、右図柄表示部５０Ｃが設けられる。この特別図柄表示装置５０の各図柄表示部５０Ａ、５０Ｂ、５０Ｃには、夫々「１、２、３、４、５、６、７、８、９」までの数字と、４種類のキャラクタ図柄等により合計１３種類の図柄が表示されるようになっている。
【００２４】
この特別図柄表示装置５０の真下位置には、遊技球の入賞により特別図柄表示装置５０の各図柄５０Ａ、５０Ｂ、５０Ｃの図柄変動を開始させる普通電動役物である可変翼タイプの第１種始動入賞口５１が設けられ、更にその下方位置には、通常は閉じている特別電動役物である大入賞口５２と、該大入賞口５２が開放された時に入賞可能となる特定領域入賞口５３とを備える。
【００２５】
更に遊技盤１４面には前記大入賞口５２の左右位置に、普通入賞口である左落し入賞口５４、右落し入賞口５５が設けられると共に、その上方位置には左袖入賞口５６、右袖入賞口５７が各々備えられる。これらの各入賞口に遊技球が入賞すると第１種始動入賞口５１及び左右落し入賞口５４，５５、左右袖入賞口５６においては５個、右袖入賞口５７においては７個、大入賞口５２及び特定領域入賞口５３においては１３個の賞品球が各々払出されるように構成されている。
【００２６】
また、前記特別図柄表示装置５０の周囲を囲む装飾枠体５８の上部に形成された半円弧形状の装飾枠部には、７セグメントのデジタル表示により表示される普通図柄表示装置６０が備えられる。この普通図柄表示装置６０には、「０」〜「９」までの数字が表示される。そして、前記特別図柄表示５０の左右位置に、左ゲート６１、右ゲート６２が設けられ、これら左右ゲート６１，６２への遊技球の通過に伴って、普通図柄表示装置６０が図柄変動を開始するように構成されている。
【００２７】
そして、前記左右ゲート６１，６２を通過した遊技球は、装飾枠体５８の内部を通過した後、下側枠縁上に誘導される。この装飾枠体５８の内枠縁部はすり鉢状に構成され、その中央にはモータ駆動による誘導部材６３が設けられる。装飾枠体５８に誘導されてきた遊技球はこの誘導部材６３により遊技盤１４面を再び落下される。
【００２８】
尚、この遊技盤１４面には、前記図柄表示装置や入賞口等のほかに、遊戯者によって弾発発射された遊技球の落下方向を無作為に変更させたり、その流下速度を変化させる風車６４、６４及びランプ風車６５、６５等が設けられている。これにより、弾発発射された遊技球は遊技盤１４面の遊技域内で転動しつつ下方へ落下して行き、上記した各装置及び入賞口に入賞するか、何処にも入賞しなければ遊技域の最下部の設けられた排出口６６にて遊技盤１４の裏側へ排出される。
【００２９】
図４は、パチンコ遊技機の裏面図を示し、図５はその外観斜視図を示したものである。パチンコ遊技機１０の裏面に設けられる機構板７６面の上方位置に、遊技場の島から供給される遊技球を一時貯留する賞球タンク７７が設けられると共に、その賞球タンク７７に連設されてタンクレール７８が設けられ、このタンクレール７８の賞品球流下端部位に球払出装置８０が連設されている。
【００３０】
タンクレール７８には、前記賞球タンク７７やタンクレール７８上の遊技球の補給状態により作動される補給スイッチ８１が設けられ、又、球払出装置８０の直前において賞品球の球切れを検出し球払出しの空動作を防止する為の空切り防止スイッチ８２が設けられている。さらに球払出装置８０より払出された賞品球がパチンコ遊技機内に充満した場合にこれを検出する満タンスイッチ８３、あるいは遊技機内に遊技球が充満した時に遊技球の払出しを一旦停止させる満タンストッパ８４等も備えられている。
【００３１】
機構板７６には遊技盤１４面の各入賞口に入った入賞球（セーフ球）を一球毎に球切りして検出するセーフ球排出機構部８５も設けられ、このセーフ球排出機構部８５により検出されたセーフ球はこの後機外へ排出されるようになっている。又、遊技盤１４の裏面は中央カバー８６に覆われている各セーフ球誘動樋を介してセーフ球排出機構部８５へ導出される。
【００３２】
ところで、この機構板７６には、各種の制御基板が取付けられている。例えば、プリペイドカードに係わる情報をパチンコ遊技機１０の外部において処理するプリペイドカードユニット３０と遊技機本体とを電気的に接続するＣＲ外部接続端子基板８７を含む外部接続端子９７、発生したセーフ球の種別に応じて所定個数の賞品球を前記球払出装置８０に払出動作させたり、球貸出しボタン３２の操作による球貸出し要求信号に基づいてその賞品球払出機構部８０に貸し球の払出しを動作させる回路が装着されたＣＲ賞球払出制御基板８８、該ＣＲ賞球払出制御基板８８とプリペイドカードユニット３０との間に設けられ、プリペイドカードユニット３０に挿入されたプリペイドカードの情報と、パチンコ遊技機１０の前面に設けられた球貸し操作部３１への球貸し要求信号と球貸し状態を表示する度数表示情報と、球貸し情報に基づいてＣＲ賞球払出制御部を司令制御する情報との授受を行うカードインターフェイス基板８９が設けられている。
【００３３】
また前記ＣＲ外部接続端子基板８７、カードインターフェイス基板８９、ＣＲ賞球払出制御基板８８相互間においてカードデータ処理に係わる信号を中継するＣＲ中継基板９０、パチンコ遊技機１０の遊技盤１４面で発生したセーフ球を検出して特別図柄表示装置５０を駆動制御し、その特別図柄の表示態様を設定切り替え制御し、入賞の種別に対応して所定個数の賞品球の払出しをＣＲ賞球払出制御部へ指令する等を行う主制御基板９１等がこの機構板７６に取付けられている。そしてこれら独立してそれぞれ組み付けられた各種基板がパチンコ遊技機に組み付けられた後、コネクタ配線により互いに脱着可能に電気接続されている。パチンコ遊技機１０の外部のプリペイドカードユニット３０と遊技機本体との間の情報の入出力は、カードインターフェイス接続部９２を介して行われる。
【００３４】
前記ＣＲ賞球払出制御基板８８は、賞品球の不足欠乏、及び供給状態、排出状態の異常を検出し、払出動作の停止と、表示動作も合わせて行われるもので、ここにはＣＲ賞球払出制御基板８８や球払出装置８０等の賞球払出制御機構において遊技球の不足、球詰まり、回路操作異常、ソフトエラー等の異常が発生した場合にその旨を表示するエラー表示部９３、あるいはエラー状態が解除された場合に前記エラー表示部９３を初期状態に復帰リセットさせるエラー表示リセットボタン９４が設けられている。
【００３５】
また前記主制御基板９１には、特定図柄表示装置５０に於いて発生する当たりの出現状態（確率）を３個のＬＥＤにて表示する設定表示ＬＥＤ９５、あるいは前記当たりの出現確率を所定条件下のみ切替え可能に設定する為の確率モード設定スイッチ９６が設けられている。
【００３６】
パチンコ遊技機１０で発生した各種情報は機構板７６の上部片隅に設けられる外部接続端子９７を介して遊技機外部の遊技場管理装置へ出力される。特別図柄表示装置５０の図柄若しくは入賞装置の始動回数、所定図柄の確定により発生する大当たりの発生回数、遊技者に特別な利益状態を継続させる継続情報、当該パチンコ遊技機における当たりの出現確率、不正検出信号等の各種情報がこの外部接続端子９２を介して入出力されることになる。
【００３７】
更に機構板７６の裏面下方隅寄り位置には、前記上受け皿１６に供給された遊技球を遊技盤１４面に向けて弾発発射するための打球発射装置１００が備えられている。この打球発射装置１００は、打球発射モータ１０１のほか、発射装置制御回路、打球槌、弾発力調整手段等により構成される。タッチ感度調整ボリューム１０２は、遊技者の打球発射操作ハンドルへの接触を検出して打球発射モータ１０１の電源を投入するタッチスイッチ回路の検出感度を調整する為に設けられ、又、遊技球発射調整ダイヤル１０３は、遊技盤１４面へ向けての遊技球弾発力、飛走距離をパチンコ遊技機の裏面側で調整設定する為に設けられている。
【００３８】
打球発射装置１００に近接して発射装置制御基板１０４が設けられ、これには打球発射モータ１０１の駆動制御回路及びタッチスイッチ回路が含まれている。打球発射モータ１０１の駆動制御回路では、モータの回転速度、トルク、特に１分間に発射する打球間隔、速度等が設定されている。
【００３９】
尚、このパチンコ遊技機１０は電源プラグ１０６を介してＡＣ１００Ｖ電源に接続されている。また前記外部接続端子９７より引き出されたリード線１０７は、コネクタ１０８及び電源プラグ１０９を介してＡＣ２４Ｖ電源に接続されている。
【００４０】
図６は、遊技盤１４面の各入賞口やゲートを通過した遊技球の遊技盤面における流出経路及び各種スイッチ類やソレノイド類等の配置状態を示した図である。図示されるように、前記第１種始動入賞口５１に落入した遊技球の流出経路には第１種始動口用検知スイッチ１１０が設けられ、また前記大入賞口５２における入賞球の流出経路にはその入賞球数をカウントするカウント用スイッチ１１１が設けられ、更に前記特定領域入賞口５３における入賞球の流出経路にはその入賞を検知する特定領域用スイッチ１１２が設けられる。更に前記左右ゲート６１，６２における遊技球通過経路にはその通過を検知する左ゲート用スイッチ１１３及び右ゲート用スイッチ１１４が設けられている。
【００４１】
更に、第１種始動入賞口５１を開閉動作する普通電動役物用ソレノイド１１５、大入賞口５２を開閉動作させる大入賞口開放用ソレノイド１１６、特定領域入賞口５３を開閉動作させる特定領域開放用ソレノイド１１７が設けられ、装飾枠体５８の内側下部に設けられた誘導部材６３を上下動作するための誘導部材駆動用モータ１１８も設けられる。
【００４２】
一方、前記右袖入賞口５７における入賞球の流出経路には入賞検出用スイッチ１１９が設けられ、前記左右落し入賞口５４，５５及び左袖入賞口５６における入賞球の流出経路には入賞検出用スイッチは設けられていないが、セーフ球排出機構部８５においてセーフ球がセーフ球排出ソレノイド１２０により１個づつ排出される間にセーフ球検出スイッチ１２１により入賞球の合計個数がカウントされるので、その個数差分だけ５個ずつの賞球が払出されるようになっている。
【００４３】
この制御形態を発展させれば、普通入賞口への入賞により例えば５個払出するものとし、始動入賞口への入賞により例えば６個払出するものとし、大入賞口に設けられた特別入賞領域該入賞口への入賞により例えば７個払出するものとし、大入賞口に設けられた計数領域への入賞により例えば８個払出するものとし、遊技盤面に配設される入賞装置に対し格別に設けられた入賞口への入賞により例えば９個又は１０個払出するものとして、夫々の入賞口を区別して異なる個数の賞品球を払出す場合には、全ての入賞口への入賞時に共通する基本払出動作（５個払出）に加えて、各入賞口への入賞に応じて、前記始動入賞口へ球が落入した場合には追加払出（１個追加）を、前記大入賞口特別入賞領域へ球が落入した場合には追加払出（２個追加）を、前記大入賞口計数領域へ球が落入した場合には追加払出（３個追加）を、前記入賞装置へ球が落入した場合には追加払出（４個又は５個の追加）の動作を実行する命令を出すようにＣＲ賞球払出制御基板８８を構成することも可能である。
【００４４】
また、基本払出個数を始動入賞口に対応する払出個数（例えば６個）や大入賞口内の計数領域に対応する払出個数（例えば８個）として、払出個数が基本払出個数よりも少ない入賞口へ入賞したときには各入賞口に対応する差数分だけ払出個数を減らし、払出個数が基本払出個数よりも多い入賞口へ入賞したときには各入賞口に対応する差数分だけ払出個数を加える制御をするようにＣＲ賞球払出制御基板８８を構成することも可能である。
【００４５】
ちなみに、このパチンコ遊技機１０の遊技内容を、図７に示した制御フローチャートに基づいて説明する。この遊技機１０では、遊技者によって遊技盤１４面に向けて発射された遊技球がゲート６１，６２の何れかを通過したことが左右ゲートスイッチ１１３，１１４により検知される（Ｓ１０「ＹＥＳ」）と、その信号に基づいて普通図柄変動装置６０が図柄変動を開始する（Ｓ１２）。そしてこの普通図柄表示装置６０は図柄変動を開始してから６．０秒を経過するとその図柄変動を停止し、変動図柄が確定する（Ｓ２４）。この確定図柄のうち、いわゆる「当たり」と称される図柄が出れば（Ｓ２６「ＹＥＳ」）、主制御基板９１からの指令信号により遊技盤１４面の第１種始動入賞口５１が開放される（Ｓ２８）。
【００４６】
そして、この開放された第１種始動入賞５１に遊技球が入賞する（Ｓ３０「ＹＥＳ」）と、第１種始動入賞口用スイッチ１１０からの検出信号に基づき特別図柄表示装置５０の各図柄５０Ａ、５０Ｂ、５０Ｃが順に図柄変動を開始する（Ｓ３２）。この特別図柄表示装置５０は「大当たり」が発生する低確率と高確率の２段階の抽選確率を有し、抽選確率が低確率の場合（Ｓ３４「ＹＥＳ」）は５．８秒経過後に図柄変動を停止し（Ｓ４０）、高確率の場合（Ｓ３４「ＮＯ」）は、それよりも短い５．０秒経過後に図柄変動が停止される（Ｓ３８）。
【００４７】
この特別図柄表示装置５０の各図柄５０Ａ、５０Ｂ、５０Ｃに表示される確定図柄の組合せによって「大当たり」と称する遊技状況が発生し、「大当たり」図柄の組合せが出た場合（Ｓ４２「ＹＥＳ」）は、条件装置が作動し、その「大当たり」図柄の組合せがいわゆる通常図柄（非特定図柄）の場合は大入賞口５２が開放状態を繰り返す連続作動回数は最大１６回に設定され（Ｓ４４「ＹＥＳ」、Ｓ４８）、「大当たり」図柄の組合せがいわゆる特定図柄の場合は、その大入賞口５２が開放状態を繰り返す連続作動回数が最大１４回に設定され（Ｓ４４「ＮＯ」、Ｓ５０）、更にその条件装置の作動停止から次の作動開始まで特別図柄表示装置５０に係る抽選確率は高確率へと移行する。
【００４８】
そしてこの条件装置の作動によって大入賞口５２が開放状態にあるときに、この大入賞口５２に遊技球が入賞する（Ｓ５２「ＹＥＳ」）と、１個の入賞球（セーフ球）に対して１３個の賞球が払出される（Ｓ５４）。この大入賞口５２は１個につき約２０秒間開放状態を維持し、その間にセーフ球が１０個入賞したことがカウント用スイッチ１１１からの検知信号により確認される（Ｓ６４「ＹＥＳ」）と、時間経過前にも閉じるようになっている（Ｓ６２）。また、大入賞口５２の開放に伴って特定領域入賞口５３が開放されるが、大入賞口５２の開放の間にこの特定領域入賞口５３に遊技球が１個入賞する（Ｓ５６「ＹＥＳ」）と、特定領域入賞検出用スイッチ１１２からの検出信号に基づき特定領域入賞口５３は閉じられ、これに伴って大入賞口５２も閉じられる（Ｓ５８）。
【００４９】
そして連続役物作動回数に達したか否かが判定され（Ｓ６０）、まだ連続作動回数に達していない場合には、再度大入賞口５２が開放される。この連続役物作動には、大入賞口５２の開放中及び第１種特別電動役物の作動終了後、約２．０秒以内に遊技球が特定領域入賞口５３を通過することによって大入賞口５２が閉じられた後、再度大入賞口５２が開放されるものである。
【００５０】
そして、所定の連続作動回数が終了するまで前記大入賞口５２の開放状態と閉じた状態を繰り返し（Ｓ６０「ＮＯ」）、所定連続回数回数が終了すると大入賞口５２は閉じられる（Ｓ６０「ＹＥＳ」、Ｓ６２）。また、特定領域入賞口５３に遊技球が入賞しなかった場合（Ｓ５６「ＮＯ」）は、大入賞口５２が開放状態になってから約２０秒経過した後、或いは大入賞口５２に遊技球が１０個入賞することにより大入賞口５２は閉じられ（Ｓ６４「ＹＥＳ」、Ｓ６２）、これらの条件を満たすまでは第１種特別電動役物の作動を繰り返し（Ｓ６４「ＮＯ」）、一連の動作は終了する（Ｓ６６）。
【００５１】
一方、Ｓ１０において遊技盤１４面に向けて発射された遊技球が、ゲート６１、６２を通過しなかった（Ｓ１０「ＮＯ」）が、遊技盤１４面に設けられる何れかの入賞口５４〜５７等に入賞する（Ｓ１６「ＹＥＳ」）か、或いはゲートを通過した後に何れかの入賞口に入賞した場合には、入賞検出用スイッチ１１９，或いはセーフ球検出スイッチ１２１からの検知信号に基づき入賞球１個につき５個又は７個の賞球が払出される（Ｓ１８）。なお、何処の入賞口にも入賞しない場合は「はずれ」として処理される（Ｓ２０）。また、Ｓ４２において特別図柄表示装置５０の変動図柄の確定により「大当たり図柄が出なかった場合（Ｓ４２「ＮＯ」）」も「はずれ」として処理される（Ｓ４６）。
【００５２】
図８は賞品球の払出経路と入賞球（セーフ球）の払出経路との位置関係を図示したものである。前述したことと一部重複するが、タンクレール７８の球流路下端部に遊技球払出樋１２２と球抜き樋１２３とが分岐して設けられ、遊技球払出樋１２２の下流位置に前記球払出装置８０が設けられる。そして、その球払出装置８０より遊戯者に払出される遊技球（これは後に詳述するが、遊技盤１４面の各種入賞口に入賞することによって払出される賞品球の場合と、プリペードカード使用によって払出される貸し球の場合の両方がある。）がクッションローラ１２４を介して賞球保留部１２５に一時的に保留され、通常は球出口１２６より上受け皿１６へ払出され、上受け皿１６が満杯になったときは賞球通路樋体１２８を介して下受け皿１７へ払出されるようになっている。
【００５３】
図９は、図８に示した遊技球の払出機構及びそれに隣接して設けられる球抜機構の構成を拡大して示したものである。図示されるように、遊技球払出樋１２２と分岐して設けられる球抜き樋１２３の上流端には、賞品タンク７７やタンクレール７８に貯留される遊技球の球抜き装置１３０が設けられる。この球抜き装置１３０は賞球タンク７７やタンクレール７８上の遊技球を賞品払出機構部（球払出装置）８０へ誘導する遊技球払出樋１２２との分岐位置において、遊技球の球抜き開口部１３１が設けられ、その球抜き開口部１３１に球抜き片１３２が支軸１３３を介して開閉自由に設けられている。そしてその球抜き片１３３に設けられる重鍾（バランサ）１３４により賞球タンク７やタンクレール７８上に遊技球が存在しない時には球抜き開口部１３１が閉じられている。
【００５４】
そしてこの球抜き開口部１３１を開閉を規制するストッパ部材１３５が支軸１３６を介して回動自在に設けられ、そのストッパ部材１３５に設けられる係合爪１３７が球抜き片１３２に係脱自在に係合されることにより賞球タンク７７やタンクレール７８上に遊技球が存在していても球抜き片１３２から不用意に開放されることがないように規制されている。さらに前記ストッパ部材１３５の球抜き片１３２との係合を解除する球抜き作動レバー１３８の作動ピン１３９が前記ストッパ部材１３５に係合された構成とされている。
【００５５】
したがってこの球抜きレバー１３８をこの遊技機の管理者が図中手前に引くことにより作動ピン１３９によりストッパ部材１３５が押し下げられ、係合爪１３７が球抜き片１３２から外されることにより球抜き片１３２上の遊技球の荷重によって球抜き片１３２が押し開かれ、賞球タンク７７やタンクレール７８上の遊技球が球抜き開口部１３１より球抜き樋１２３へ流出されるようになっている。
【００５６】
図１０は、前述の球払出装置８０の外観を示したものであり、（ａ）は球払出装置の正面図、（ｂ）は球払出装置の側面図、（ｃ）は球払出装置の底面図を示している。また、図１１は、図１０に示したパチンコ球払出装置８０の断面図であり、（ａ）はＨ−Ｈ線断面図、（ｂ）は、Ｉ−Ｉ線断面図、（ｃ）はＪ−Ｊ線断面図である。球払出装置８０は、賞球タンクレール７８及び遊技球払出樋１２２が２列であることに対応して図示のように２本の球補給経路１５０ａ、１５０ｂを上部に有する。
【００５７】
この図において、遊技球払出樋１２２の下流に位置する球補給経路１５０ａ，１５０ｂの下方開口端の下方に球誘導回転体１５１ａ、１５１ｂが回動自在に設けられている。そして、球誘導回転体１５１ａの中心部にはラチェット１６３ａを介して可逆転式のステッピングモータ１６０の回転軸が取り付けられる。ラチェット１６３ａは、モータ回転軸１６２が正面から見て時計回り方向（矢示Ａ方向）に回転するときにはステッピングモータ１６０の駆動力を球誘導回転体１５１ａに伝達し、モータ回転軸１６２が正面から見て反時計回り方向（矢示Ｂ方向）に回転するときにはステッピングモータ１６０の駆動力を球誘導回転体１５１ａに伝達しないで空回りするように構成される。
【００５８】
一方、球誘導回転体１５１ｂの中心部にはラチェット１６３ｂを介して可逆転式のステッピングモータ１６０の回転軸１６２が取り付けられ、ラチェット１６３ｂは、モータ回転軸１６２が正面から見て時計回り方向（矢示Ａ方向）に回転するときにはステッピングモータ１６０の駆動力を球誘導回転体１５１ｂに伝達せずに空回りし、モータ回転軸１６２が正面から見て反時計回り方向（矢示Ｂ方向）に回転するときにはステッピングモータ１６０の駆動力を球誘導回転体１５１ｂに伝達するように構成される。
【００５９】
賞球排出経路１５３ａには賞球計数用センサ１５７ａが、貸し球排出経路１５４ｂには貸し球計数用センサ１５８ｂが夫々設けられており、これにより夫々の排出経路の遊技球の通過が独立して検出される。
【００６０】
ステッピングモータ１６０の回転軸先端部には円筒の一方の開口端にスロットを設けた形状を有するモータ位置検出用ロータ１６１が取り付けられ、また、該モータ位置検出用ロータ１６１の周囲にモータ位置検出用センサ１５９が取り付けられ、これによりステッピングモータ１６０の回転軸１６２の回転角度が逐次検出される。
【００６１】
図１２は、上述した各種制御基板の電気的接続関係を示す制御ブロック図である。この制御ブロック図でもわかるように、特別図柄表示装置５０及び普通図柄表示装置６０を含む表示ブロックは主制御基板９１に接続され、主制御基板９１からの指令信号により作動される。また遊技盤１４面に設けられる飾りランプやＬＥＤ等の飾りブロック、あるいは第１種始動入賞口５１や大入賞口５２等の電動役物を含む役物ブロック、更には音声駆動部１６５及びスピーカ１６６を含む音声ブロックなども主制御基板９１に接続されている。これらに対しても主制御基板９１からの指令信号により制御が行われている。
【００６２】
又、前記主制御基板９１は外部接続端子部９７やＣＲ払出制御部（基板）８８と接続され、ＣＲ払出制御部（基板）８８は球払出装置８０のステッピングモータ１６０と接続される。またＣＲ払出制御部（基板）８８にはインターフェイス基板８９を介してプリペードカードユニット３０が接続され、更に遊技機前面の球貸し操作部３１に設けられる度数表示部（基板）３５や球貸出しボタン３２が接続される。
【００６３】
そしてＣＲ払出制御部（基板）８８には、遊技盤面に設けられる各種入賞口への遊技球の入賞信号、及びプリペードカード使用による貸し球要求信号に基づいて遊技球の払出経路を変更する回転駆動制御部１６７が接続され、更に、発射装置制御部（基板）１０４を介して打球発射装置１００も接続されている。
【００６４】
そして主制御基板９１には、入賞検知用スイッチ１１９、セーフ球検知用スイッチ１２１のほか、前述の球払出装置８０に設けられる賞球計数用センサ１５７ａが接続され、一方貸し球計数用センサ１５８ｂ及びモータ位置検出用センサ１５９はＣＲ払出制御部（基板）８８に接続され、これらの検知信号に基づいて詳細は後述するが、回転駆動制御部１６７により球払出装置８０が、駆動制御されるようになっている。
【００６５】
図１３は、球誘導回転体の前記ラチェット機構部１６３ａの拡大正面図であり、（ａ）はステッピングモータが正面から見て時計回り方向（矢示Ａ方向）に回転するときの拡大正面図、（ｂ）はステッピングモータが正面から見て反時計回り方向（矢示Ｂ方向）に回転するときの拡大正面図である。
【００６６】
ラチェット機構部は、歯車１７０と、爪揺動機構部１７１イ、１７１ロ及び１７１ハとを有してなる。歯車１７０はモータの回転軸１６２に取り付けられモータ回転軸１６２と一体的に回転する。前記歯車１７０は、円周方向に連設される複数の歯を有しており、これらの歯は、回転軸に対し直角な断面において鋸歯形状を有し、その形状は半径方向に関し対称ではない。即ち、図からもわかるように、各歯の正面から見て時計回り方向（矢示Ａ方向）を向く面は半径方向に略平行であり、各歯の正面から見て反時計回り方向（矢示Ｂ方向）の面は半径方向に対し傾斜している。
【００６７】
爪揺動機構部１７１イ、１７１ロ及び１７１ハは、球誘導回転体１５１ａに設けられる円柱形状の中空部の内壁に円周方向に設けられる取付溝に取り付けられる。図からもわかるように各爪揺動機構部１７１イ、１７１ロ、１７１ハは基板部分１７２イ、１７２ロ、１７２ハと揺動爪１７３イ、１７３ロ、１７３ハとから構成され、その各基板部分の長さと各揺動爪の長さを加えた合計は前記中空部の内壁面の取付溝全体の長さの３分の１より少し短く構成されている。
【００６８】
また、各爪揺動機構部は弾性を有する素材で構成される。基板部分１７２イ、１７２ロ及び１７２ハは、前記取付溝の円周方向に１２０度毎の位置に埋設固定され、各揺動爪１７３イ、１７３ロ又は１７３ハは、正面から見て各基板部分１７２イ、１７２ロ又は１７２ハの反時計回り方向（矢示Ｂ方向）の端縁に延設され、外力を受けないときには、図からもわかるように各基板部分１７２イ、１７２ロ又は１７２ハの延長方向から半径方向内方へ傾いた方向へ延びている。
【００６９】
ラチェット機構部１６３ａはこのように構成されているので、モータ回転軸１６２が、正面から見て時計回り方向（矢示Ａ方向）に回転するときには、歯車の歯の正面から見て時計回り方向（矢示Ａ方向）の面が前記揺動爪の先端に圧接し、前記のように爪揺動機構部１７３イ、１７３ロ及び１７３ハは球誘導回転体１５１ａと一体的に回転するように構成されているので、球誘導回転体１５１ａは正面から見て時計回り方向（矢示Ａ方向）に回転する。
【００７０】
一方、図１３（ｂ）に示すように、モータ回転軸１６２が正面から見て反時計回り方向（矢示Ｂ方向）に回転するときには、前記揺動爪１７３イ、１７３ロ及び１７３ハに当接する歯車１７０の歯の突端縁が前記揺動爪１７３イ、１７３ロ及び１７３ハの回転中心側の面を回転中心から離れる方向へ押し曲げつつこの面に摺接して移動するので、前記揺動爪１７３イ、１７３ロ、１７３ハは間欠的に前記取付溝へ没入され、歯車１７０は球誘導回転体１５１ａの中空部内を空回りし、球誘導回転体１５１ａはステッピングモータ１６０によって駆動されないこととなる。
【００７１】
ここでは、球誘導回転体１５１ａに設けられるラチェット１６３ａについて説明したが、球誘導回転体１５１ｂに設けられるラチェット１６３ｂは、爪揺動機構部の配設方向および歯車の形状が前記ラチェット１６３ａのこれらの部分と鏡像関係となるように設けられ、モータ回転軸が正面から見て反時計回り方向（矢示Ｂ方向）に回るときにのみ球誘導回転体が回転駆動される。
【００７２】
このように構成されたパチンコ遊技機によれば、遊技板１４面の各入賞口への遊技球の入賞により主制御基板９１から回転駆動制御手段１６７へ賞品球の払出信号が送信されると、ステッピングモータ１６０は正面から見て時計回り方向（矢示Ａ方向）に回転するように回転駆動制御部１６７によって駆動制御され、手前のラチェット１６３ａが係合状態となり、後方のラチェット１６３ｂは空回りするので、球誘導回転体１５１ａのみが図１１中矢示Ａ方向に回転する。そのために一方の球補給管１５０ａより球誘導回転体１５１ａの球受止孔１５２ａイ、１５２ａロ又１５２ａハに補給された遊技球１５５が賞品球として賞球排出管１５３ａより排出される。
【００７３】
そして賞球排出経路１５３ａより排出される賞品球は、排出経路１５３ａに設けられる賞球計数用センサ１５７ａにより検知され、その計数（カウント）値が各入賞口に対応して定められた賞品球払出個数（例えば、５個、７個あるいは１３個）に達すれば、主制御基板９１からの指令信号によりステッピングモータ１６０の駆動が停止される。
【００７４】
一方、プリペードカード使用により貸し球要求信号がＣＲ払出制御部（基板）８８に入力されると、該ＣＲ払出制御部（基板）８８から回転駆動制御部１６７へ貸し球の払出信号が送信される。ステッピングモータ１６０は、その払出信号に基づいて回転駆動制御部１６７によって駆動制御され、正面から見て反時計回り方向（矢示Ｂ方向）に回転、手前のラチェット１６３ａが空回りの状態となり、後方のラチェット１６３ｂが係合状態となるので、前記球誘導回転体１５１ｂのみが図１１中矢示Ｂ方向へ駆動されて、球補給経路１５０ｂから補給される遊技球１５５が球受止孔１５２ｂイ、１５２ｂロ又は１５２ｂハに受止されつつ球誘導回転体１５１ｂの回転により誘導されて貸し球払出経路１５４ｂへ払出され、貸し球計数用センサ１５８ｂによりその払出しを検出される。
【００７５】
そして貸し球排出管１５４ｂより排出される貸し球は、排出経路１５４ｂに設けられる貸し球計数用センサ１５８ｂにより検知され、その計数（カウント）値が遊技機の前面に設けられたプリペードカードユニット３０の金額設定ボタン３８の操作により決定された貸出し金額に見合う個数の遊技球（例えば、２５個、５０個、７５個あるいは１００個）に達すればＣＲ払出制御部（基板）８８からの指令信号によりディスク駆動モータ１６０の駆動が停止されるものである。
【００７６】
ところで、図１０〜図１３に示すように構成された実施例は、種々の改変が可能である。例えば、球誘導回転体１５１ａの球受止孔１５２ａイ、１５２ａロ・・・の数と球誘導回転体１５１ｂの球受止孔１５２ｂイ、１５２ｂロ・・・の数を異なったものとすれば、正面から見て時計回り方向（矢示Ａ方向）に回転して賞球払出を行なうときと正面から見て反時計回り方向（矢示Ｂ方向）に回転して貸し球払出を行なうときとを比較すると、同じ回転速度で回転したときの時間あたりの払出個数が異なったものとなり、また、同じ回転角に対する払出個数が異なったものとなる。
【００７７】
従って、例えば、入賞口の払出個数がどの入賞口についても３の倍数（３個，６個，９個・・・）の何れかであり、貸し球の払出個数が常に５の倍数（５個、１０個、１５個、２０個・・・）であり、球誘導回転体１５１ａの球受止孔の数を３個とし、球誘導回転体１５１ｂの球受止孔の数を５個とする場合には、Ａ方向にモータが１回転したときには賞球が３個払出され、Ｂ方向にモータが１回転したときには貸し球が５個払出されるので、払い出しの際にモータの１回転（３６０度回転）を制御の単位としても良い。
【００７８】
つまり、このような場合には、前記ＣＲ払出制御部８８は、入賞時には払出すべき賞球個数を３で割った数（Ｎ１とする。）の回転を前記Ａ方向にすべきであるという命令を回転駆動制御部１６７に発し、球貸し時には払出すべき貸し球個数を５で割った数（Ｎ２とする。）の回転を、前記Ｂ方向にすべきであるという命令を回転駆動制御部１６７に発するようにする。このようにすると、Ｎ１及びＮ２は整数となるので、１個単位で払出制御をするときに比べ、主制御基板９１及びＣＲ払出制御部８８から回転駆動制御部１６７への伝送データの量は減少し、主制御基板９１、ＣＲ払出制御部８８及び回転駆動制御部１６７の信号処理負担が減少する。
【００７９】
以上実施例について説明したが、本発明は上記した実施の形態に何ら限定されるものではなく、本発明の趣旨を逸脱しない範囲で種々の改変が可能である。例えば、本発明のパチンコ遊技機はプリペードカード式のものに限定されるものではなく、パチンコ遊技機は、現金が投入された場合にパチンコ球払出装置によって貸し球の払出を行ない、入賞口に遊技球が入賞するとパチンコ球払出装置によって賞球の払出を行なうように構成しても良い。
【００８０】
また、球補給経路の形態や数、球誘導回転体の形態、数やその周縁に設けられている球受止孔の数、ラチェットの設置数、各球誘導回転体にラチェットを設けるか否かは、設計に応じて変更可能であり、球補給経路及び球誘導回転体の数又は球受止孔の数が多い程ディスク駆動モータによる遊技球の払出動作は速やかに行われることになる。
【００８１】
その他、球抜き装置１３０の球抜き開口部１３１を閉鎖する一方、パチンコ遊技機の管理者により球抜き操作されて動作する球抜き装置１３０における作動ピン１３９により球抜き状態を検出する球抜き検出スイッチを設ける一方、この球抜き検出スイッチから検出信号に基づいて球抜き条件となった場合に、球払出し装置を貸し球払出経路側又は賞球払出経路側に払出状態にする球抜き払出制御部を設けたパチンコ遊技機とすることも可能である。
【００８２】
また、球抜き装置に関する構成については、パチンコ遊技機がカード式パチンコ遊技機でない場合には、図９における球抜き開口部１３１等を当該パチンコ遊技機に設ける構成とせず、パチンコ遊技機の何れかの箇所に設けられた球抜き操作手段（パチンコ機前面に設けられた球抜きピン挿通孔に球抜きピン１３９が押圧挿入されて操作される。）に付設された球抜き操作検出スイッチの検出動作に基づく操作信号を球抜き起動信号として、前記払出装置８０が球抜き動作を行なうように構成してもよい。
【００８３】
例えば、この前記球抜き起動信号がパチンコ遊技機の払出制御部（前記実施の形態においては、ＣＲ払出制御部８８又は回転駆動制御部１６７）に入力すると、前記実施の形態の貸し球払出時と同じ方向にモータ１６０を駆動し、前記実施の形態において貸し球の払出経路として用いている排出経路１５４ｂに遊技球を球抜きするように構成してもよい。
【００８４】
【発明の効果】
本発明の請求項１に記載のパチンコ遊技機によれば、単一の駆動手段が一方向に回転するときには一方の球誘導回転体が駆動され、その駆動手段が反対の方向に回転するときには他方の球誘導回転体が駆動されるように構成されるので、単一の駆動手段で複数の球誘導回転体を選択的に回転させて複数の払出経路へ振分け払出することができるようになる。そして、パチンコ球を各払出経路へ払出すために、単一の駆動手段により夫々の球誘導回転体を個別に回転駆動することができるという効果を有する。
【００８５】
又、請求項２に記載の発明のように、前記回転伝達規制手段としてラチェット機構を用いる構成とすれば、比較的簡易で小型の回転伝達規制手段により本発明の課題を解決することができるという利益をもたらす。
【００８６】
更に、請求項３に記載の発明によれば、賞品球払出信号に基づいて前記駆動手段が一方向に回転することにより一方の球誘導回転体が回転駆動され賞品球払出経路にパチンコ球が払出され貸し球球払出信号に基づいて前記駆動手段が反対方向に回転することにより他方の球誘導回転体が回転駆動され貸し球払出経路にパチンコ球が払出されるように構成したので、単一の駆動手段で賞球払出時に回転する球誘導回転体と貸し球払出時に回転する球誘導回転体とを選択的かつ個別に回転させて払出すことができるようになる。
【図面の簡単な説明】
【図１】  本発明の一実施の形態におけるカード式パチンコ遊技機の正面図である。
【図２】  図１に示したパチンコ遊技機の外観斜視図である。
【図３】  このパチンコ遊技機の遊技盤面の拡大正面図及び部材の構成図である。
【図４】  図１に示したパチンコ遊技機の裏面図である。
【図５】  その外観斜視図である。
【図６】  遊技盤の裏面に設けられる入賞球（セーフ球）の流出経路を説明する図である。
【図７】  このパチンコ遊技機における遊技内容を説明する制御フローチャートである。
【図８】  このパチンコ遊技機における賞品球払出機構及び入賞球（セーフ球）排出機構
における遊技球の流出経路を示した図である。
【図９】  図８に示した賞品球払出機構及びそれに隣接して設けられる球抜機構の構成を拡大して示した図である。
【図１０】  球払出装置の実施例の外観図であり、（ａ）はこの実施例の正面図、（ｂ）は側面図、（ｃ）は底面図である。
【図１１】  図１０に示した球払出装置の断面図であり、（ａ）はＨ−Ｈ線断面図、（ｂ）はＩ−Ｉ線断面図、（ｃ）はＪ−Ｊ線断面図である。
【図１２】  このパチンコ遊技機における制御ブロック図である。
【図１３】  球誘導回転体のラチェット機構部の拡大正面図であり、（ａ）はステッピングモータが正面から見て時計回り方向（矢示Ａ方向）に回転するときの拡大正面図、（ｂ）はステッピングモータが正面から見て反時計回り方向（矢示Ｂ方向）に回転するときの拡大正面図である。
【図１４】従来の球払出装置の外観図であり、（ａ）は正面図、（ｂ）は側面図である。
【符号の説明】
１０  カード式パチンコ遊技機
３０  玉貸機（プリペードカードユニット）
７７  賞球タンク
８０  球払出装置
１５０（１５０ａ，１５０ｂ）  球補給経路
１５１ａ，１５１ｂ  球誘導回転体
１５２ａイ，１５２ａロ，１５２ａハ  球受止孔
１５２ｂイ，１５２ｂロ，１５２ｂハ  球受止孔
１５３ａ  賞球排出経路
１５４ｂ  貸し球排出経路
１５５（１５５ａ，１５５ｂ，１５５ｃ・・・）    遊技球
１５７ａ  賞球計数用センサ
１５８ｂ  貸し球計数用センサ
１６０    ステッピングモータ
１６２    モータ回転軸
１６３ａ，１６３ｂ  ラチェット機構
１６７  回転駆動制御部
１７０  歯車
１７１イ，１７１ロ，１７１ハ  爪揺動機構部
１７２イ，１７２ロ，１７２ハ  爪揺動機構部の基板部分
１７３イ，１７３ロ，１７３ハ  爪揺動機構部の揺動爪
【図１】
0003716963.tif 000002
【図２】
0003716963.tif 000003
【図３】
0003716963.tif 000004
【図４】
0003716963.tif 000005
【図５】
0003716963.tif 000006
【図６】
0003716963.tif 000007
【図７】
0003716963.tif 000008
【図８】
0003716963.tif 000009
【図９】
0003716963.tif 000010
【図１０】
0003716963.tif 000011
【図１１】
0003716963.tif 000012
【図１２】
0003716963.tif 000013
【図１３】
0003716963.tif 000014
【図１４】
0003716963.tif 000015